(57)【要約】【課題】無意識にアンテナを接続しても、アンテナに最適な設定で非接触情報記憶媒体の情報を読み取ることが可能な無線通信装置及び無線通信システムを提供する。【解決手段】無線通信装置３は、生成部３６で生成された情報をアンテナ部１を介し、非接触情報記憶媒体２へ送信する送信部３４と、アンテナ部１に添付している非接触情報記憶媒体２と、アンテナ部１を介して非接触情報記憶媒体２の情報ＩＤを読み取る読取部３２と、読取部３２を介して入力された情報ＩＤが正式なものであり、どのアンテナグループに属するか判断を行う判断部３６ｂと、生成部３６ａにて生成されたデータを判断部３６ｂにて判断したアンテナに適した送信出力に調整を行う調整部３４ａとを備えた。【選択図】図２
2008244718.tif 000002
【特許請求の範囲】
【請求項１】
着脱可能に設けられたアンテナ部を有し、当該アンテナ部を介して無線タグ等の通信可能な非接触情報記憶媒体と通信を行う無線通信装置において、
上記非接触情報記憶媒体に無線送信する情報を生成する生成部と、
前記生成部が生成した情報を前記アンテナ部を介して上記非接触情報記憶媒体に無線送信する送信部と、
前記送信部の出力レベルを調整する調整部と、
前記アンテナ部を介して受信した上記非接触情報記憶媒体からの応答情報を読み取る読取部と、
当該読取部が所定の応答情報を得たか否かを判断する判断部と、
前記無線アンテナ部に設けられた非接触情報記憶媒体と、
上記所定の出力にて前記送信部が上記非接触情報記憶媒体に送信し、前記判断部が前記アンテナ部に設けられた上記非接触情報記憶媒体から所定の応答情報が得られたと判断した場合、前記出力調整部は、前記送信部の出力を上記所定の出力以上に調整し、再度、前記送信部が送信を行い、前記読取部を作動させる制御部と、を備える無線通信装置。
【請求項２】
前記判断部が上記非接触情報記憶媒体からの所定の応答情報が得られないと判断した場合、前記制御部は、前記送信部からの送信を自動的に停止することを特徴とする請求項１記載の無線通信装置。
【請求項３】
着脱可能に設けられたアンテナ部を有し、当該アンテナ部を介して無線タグ等の通信可能な非接触情報記憶媒体と通信を行う無線通信システムであって、
上記非接触情報記憶媒体に無線送信する情報を生成する生成部と、
前記生成部が生成した情報を前記アンテナ部を介して上記非接触情報記憶媒体に無線送信する送信部と、
前記送信部の出力レベルを調整する調整部と、
前記アンテナ部を介して受信した上記非接触情報記憶媒体からの応答情報を読み取る読取部と、
当該読取部が所定の応答情報を得たか否かを判断する判断部と、
前記無線アンテナ部に設けられた非接触情報記憶媒体と、
上記所定の出力にて前記送信部が上記非接触情報記憶媒体に送信し、前記判断部が前記アンテナ部に設けられた上記非接触情報記憶媒体から所定の応答情報が得られたと判断した場合、前記出力調整部は、前記送信部の出力を上記所定の出力以上に調整し、再度、前記送信部が送信を行い、前記読取部を作動させる制御部と、を備え、前記判断部が上記非接触情報記憶媒体からの所定の応答情報が得られないと判断した場合、前記制御部は、前記送信部からの送信を停止する無線通信システムにおいて、更に、所定の非接触情報記憶媒体のＩＤ等を格納するデータベース部を備え、前記判断部は、前記読取部が読み取ったＩＤと当該データベース部に格納された複数のＩＤとを照合し、上記読み取った非接触情報記憶媒体のＩＤが前記データベース部内に格納されていないと判断した場合、上記所定の応答情報が得られないと判断することを特徴とする無線通信装置。
【請求項４】
前記判断部は、前記読取部が上記非接触情報記憶媒体のＩＤを読み取れない場合、上記所定の応答情報が得られないと判断することを特徴とする請求項３記載の無線通信装置。
【請求項５】
更に、各種情報を表示する表示部を備え、読取部が上記非接触情報記憶媒体のＩＤを読み取れない場合又は上記読み取った非接触情報記憶媒体のＩＤが前記データベース部内に格納されていない場合、前記制御部は、その旨を前記表示部に表示させることを特徴とする請求項３記載の無線通信システム。
【請求項６】
前記判断部が上記非接触情報記憶媒体からの所定の応答情報が得られないと判断した場合、制御部は、送信部からの送信を停止することを特徴とする請求項３記載の無線通信装置。
【請求項７】
着脱可能に設けられたアンテナ部を有し、当該アンテナ部を介して無線タグ等の通信可能な非接触情報記憶媒体と通信を行う無線通信システムであって、
前記アンテナ部を介して上記非接触情報記憶媒体からの情報を受信する受信部と、
当該受信部により受信した上記非接触情報記憶媒体からの応答情報を読み取る読取部と、
前記無線アンテナ部に設けられた非接触情報記憶媒体と、
前記受信部の受信条件を設定する受信設定部と、
所定の非接触情報記憶媒体のＩＤ等を格納するデータベース部と、を備え、当該データベース部に格納された複数のＩＤは、前記アンテナ部の種類により複数のグループに分割され、かつ当該グループ毎に対応する受信条件を格納し、前記判断部は、前記読取部が読み取ったＩＤが上記どのグループに対応するかを判断し、上記読み取った非接触情報記憶媒体のＩＤが前記データベース部の対応するグループに格納されていないと判断した場合、前記制御部は、前記送信部からの送信を停止することを特徴とする無線通信装置。
【発明の詳細な説明】
【技術分野】
【０００１】
本発明は、電磁誘導により供給された電力で動作する非接触情報記憶媒体からの情報を受信する無線通信装置及び無線通信システムに関する。
【背景技術】
【０００２】
従来から電磁誘導により供給された電力で動作する非接触情報記録媒体としてＲＦタグや非接触ＩＣカードなどがある。これらＲＦタグや非接触ＩＣカードは、非接触で様々な情報が読み取ることができるので、入退室管理、電子乗車券、決済用途、物流管理、機密文書管理などの広い分野で利用され、利用分野は、これからも益々広がっていく。従来の誘導式読取装置の一例が（特許文献１）に記載されている。この（特許文献１）に記載の誘導式読取装置は、送信アンテナとは別にセンシングコイルを持ち、センシングコイルで誘起電圧／誘起電流をモニターすることにより、アンテナ部から放出される電磁エネルギーが危険レベルを超えないよう制御を行う。
【特許文献１】特開２００６−７９１３４号公報
【発明の開示】
【発明が解決しようとする課題】
【０００３】
上記（特許文献１）に記載の読書き装置は、センシングコイルを設け誘起電圧／誘起電流をモニターすることにより、アンテナから規定値以上の電磁エネルギーが放出されている場合、送信の停止を行う。しかし、アンテナ自体にセンシングコイルを持つ必要があることや、センシングコイルで検出した誘起電圧／誘起電流を誘導式読書通信設備に入力するため、アンテナとセンシングコイルを接続する専用線が必要になることから、装置構成が複雑になり、装置の大型化／コストアップを生じる。また、アンテナ部にセンシングコイルを保有させる必要があるため、従来から使用しているアンテナ部を使用することは不可能であり、全てのアンテナが新規設計となってしまう。
【０００４】
そこで、本発明の目的は、従来の構成を大幅に変えることなく、高出力の電磁エネルギーを放射させることを防ぐことを可能とする無線通信装置及び無線通信システムを提供することにある。
【課題を解決するための手段】
【０００５】
本発明は、着脱可能に設けられたアンテナ部を有し、当該アンテナ部を介して無線タグ等の通信可能な非接触情報記憶媒体と通信を行う無線通信装置において、上記非接触情報記憶媒体に送信する情報を生成する生成部と、上記生成部が生成した情報を上記アンテナ部を介して上記非接触情報記憶媒体に送信する送信部と、上記送信部の出力レベルを調整する調整部と、上記アンテナ部を介して受信した上記非接触情報記憶媒体からの応答情報を読み取る読取部と、当該読取部が所定の応答情報を得たか否かを判断する判断部と、上記無線アンテナ部に設けられた非接触情報記憶媒体と、上記所定の出力にて上記送信部が上記非接触情報記憶媒体に送信し、上記判断部が上記アンテナ部に設けられた上記非接触情報記憶媒体から所定の応答情報が得られたと判断した場合、上記出力調整部は、上記送信部の出力を上記所定の出力以上に調整し、再度、上記送信部が送信を行い、上記読取部を作動させる制御部と、を備える。
【発明の効果】
【０００６】
本発明の効果は、従来の構成を大幅に変えることなく、高出力の電磁エネルギーを放射させることを防ぐことである。
【発明を実施するための最良の形態】
【０００７】
本発明における第１の発明は、着脱可能に設けられたアンテナ部を有し、当該アンテナ部を介して無線タグ等の通信可能な非接触情報記憶媒体と通信を行う無線通信装置において、上記非接触情報記憶媒体に無線送信する情報を生成する生成部と、上記生成部が生成した情報を上記アンテナ部を介して上記非接触情報記憶媒体に無線送信する送信部と、上記送信部の出力レベルを調整する調整部と、上記アンテナ部を介して受信した上記非接触情報記憶媒体からの応答情報を読み取る読取部と、当該読取部が所定の応答情報を得たか否かを判断する判断部と、上記無線アンテナ部に設けられた非接触情報記憶媒体と、上記所定の出力にて上記送信部が上記非接触情報記憶媒体に送信し、上記判断部が上記アンテナ部に設けられた上記非接触情報記憶媒体から所定の応答情報が得られたと判断した場合、上記出力調整部は、上記送信部の出力を上記所定の出力以上に調整し、再度、上記送信部が送信を行い、上記読取部を作動させる制御部と、を備える。この構成により、アンテナ部を装着した後、タグが読める適当な出力レベルの送信状態においては、出力を上げて広範囲に配置されたタグを読める状態に移行するため、送信部の出力レベルを装着されたアンテナ部に手動により合わせる必要が無く、また、アンテナ部の装着直後から高い出力レベルによりタグの読み取りを開始する場合と比べて、不要な高出力の電磁エネルギーを放出することを防止する。
【０００８】
第２の発明では、上記判断部が上記非接触情報記憶媒体からの所定の応答情報が得られないと判断した場合、上記制御部は、上記送信部からの送信を自動的に停止するように構成されている。この構成により、不要な電磁エネルギーを放出することを防止する。
【０００９】
第３の発明では、着脱可能に設けられたアンテナ部を有し、当該アンテナ部を介して無線タグ等の通信可能な非接触情報記憶媒体と通信を行う無線通信システムであって、上記非接触情報記憶媒体に無線送信する情報を生成する生成部と、上記生成部が生成した情報を上記アンテナ部を介して上記非接触情報記憶媒体に無線送信する送信部と、上記送信部の出力レベルを調整する調整部と、上記アンテナ部を介して受信した上記非接触情報記憶媒体からの応答情報を読み取る読取部と、当該読取部が所定の応答情報を得たか否かを判断する判断部と、上記無線アンテナ部に設けられた非接触情報記憶媒体と、上記所定の出力にて上記送信部が上記非接触情報記憶媒体に送信し、上記判断部が上記アンテナ部に設けられた上記非接触情報記憶媒体から所定の応答情報が得られたと判断した場合、上記出力調整部は、上記送信部の出力を上記所定の出力以上に調整し、再度、上記送信部が送信を行い、上記読取部を作動させる制御部と、を備え、上記判断部が上記非接触情報記憶媒体からの所定の応答情報が得られないと判断した場合、上記制御部は、上記送信部からの送信を停止する無線通信システムにおいて、更に、所定の非接触情報記憶媒体のＩＤ等を格納するデータベース部を備え、上記判断部は、上記読取部が読み取ったＩＤと当該データベース部に格納された複数のＩＤとを照合し、上記読み取った非接触情報記憶媒体のＩＤが上記データベース部内に格納されていないと判断した場合、上記所定の応答情報が得られないと判断するように構成されている。この構成により、当該データベース部に格納された複数のＩＤとは異なるＩＤを有するタグを読む場合、出力調整部が送信部の出力を上記所定の出力以上に調整して、再度送信部が送信を行うことが無く、不要な電磁エネルギーを放出することを防止する。
【００１０】
第４の発明では、第３の発明において、判断部は、上記読取部が上記非接触情報記憶媒体のＩＤを読み取れない場合、上記所定の応答情報が得られないと判断するように構成されている。この構成により、不要な電磁エネルギーを放出することを防止する。
【００１１】
第５の発明では、第３の発明において、更に、各種情報を表示する表示部を備え、読取部が上記非接触情報記憶媒体のＩＤを読み取れない場合又は上記読み取った非接触情報記憶媒体のＩＤが上記データベース部内に格納されていない場合、制御部は、その旨を上記表示部に表示させるように構成した。この構成により、ユーザは、読み取った非接触情報記憶媒体のＩＤが上記データベース部内に格納されていないこと、即ち、装着された当該アンテナ部は、無線装置本体が適合するものではないことを容易に知ることができ、利便性が高い。
【００１２】
第６の発明では、第３の発明において、判断部が上記非接触情報記憶媒体からの所定の応答情報が得られないと判断した場合、制御部は、送信部からの送信を停止するように構成されている。この構成により、不要な電磁エネルギーを放出することを防止する。
【００１３】
第７の発明では、着脱可能に設けられたアンテナ部を有し、当該アンテナ部を介して無線タグ等の通信可能な非接触情報記憶媒体と通信を行う無線通信システムであって、上記アンテナ部を介して上記非接触情報記憶媒体からの情報を受信する受信部と、当該受信部により受信した上記非接触情報記憶媒体からの応答情報を読み取る読取部と、上記無線アンテナ部に設けられた非接触情報記憶媒体と、上記受信部の受信条件を設定する受信設定部と、所定の非接触情報記憶媒体のＩＤ等を格納するデータベース部と、を備え、当該データベース部に格納された複数のＩＤは、上記アンテナ部の種類により複数のグループに分割され、かつ当該グループ毎に対応する受信条件を格納し、上記判断部は、上記読取部が読み取ったＩＤが上記どのグループに対応するかを判断し、上記読み取った非接触情報記憶媒体のＩＤが上記データベース部の対応するグループに格納されていないと判断した場合、上記制御部は、上記送信部からの送信を停止するように構成されている。この構成により、ユーザは、読み取った非接触情報記憶媒体のＩＤが上記データベース部内に格納されていないこと、即ち、装着された当該アンテナ部は、無線装置本体が適合するものではないことを容易に知ることができ、利便性が高い。
【００１４】
（実施の形態１）
本発明の実施の形態に係る無線通信システムを、図１〜図３に基づいて説明する。尚、本実施の形態は、電磁誘導により供給された電力（情報）で動作する非接触情報記憶媒体としてＲＦＩＤタグを例に説明を行う。
【００１５】
先ずは、ＲＦＩＤタイプの無線通信システム全体の構成を図１に基づいて説明する。図１は、本発明の実施の形態に係るＲＦＩＤタイプの無線通信システム全体の構成を示す図である。
【００１６】
図１に示すようにＲＦＩＤタイプの無線通信システムは、電源を有しないＲＦタグ５と１３．５６ＭＨｚ帯を使用して非接触で通信することが可能なシステムであり、ＲＦタグ５を読書きする無線通信装置３と、無線通信装置３に接続されるパーソナルコンピュータ（以下、「ＰＣ」）４とを備えている。アンテナ部１は、モールド製の筐体にループアンテナを内蔵している。アンテナ部１と無線通信装置３は、同軸ケーブル６で接続されており、高周波信号を損失が少なく、無線通信装置３からアンテナ部１へＲＦタグ５に供給される電力を伝え、アンテナ部１を介してＲＦタグ５へ供給され、ＲＦタグ５を動作させることにより、ＲＦタグ５内部に記憶しているＩＤ（データ）をアンテナ部１を介し、無線通信装置３で読み取って認識し、ＰＣ４でデータ入力を行いＲＦタグ５の情報を表示する。
【００１７】
次に、無線通信装置３の詳細について図２および図３に基づいて説明する。図２は、図１に示す無線通信装置３の構成の一例を示す図であり、また、図３は、図１に示す無線通信装置３の実施例の動作を表すフローチャートである。
【００１８】
先ず、図２に沿って無線通信装置３の詳細について説明する。
【００１９】
送信波の基準クロックは、発振源３４ｃで作り出され、ＡＭＰ（増幅器／アンプ）３４ｂへ入力されてＡＭＰ３４ｂで増幅され、ゲイン調整可能増幅機能を有する調整部３４ａで制御部３６の指定する出力を生成部３６ａで作られたデータ通りに変調部３５で変調をかけた後で、アンテナ部１へ入力し、アンテナ部１を介し、非接触情報記憶媒体２へ電力（情報）を供給する。無線通信装置３から電力（情報）を供給された非接触情報記憶媒体２は、供給された電力で動作し、内部に保持してある情報を指示通りに返信する。非接触情報記憶媒体２から返信された情報は、アンテナ部１を介して読取部３２へ入力され、読取部３２で復調された後データとして制御部３６内の判断部３６ｂへ入力される。判断部３６ｂへ入力されたデータは判断部３６ｂにおいてデータベース部３３に登録されたアンテナ情報（非接触情報記憶媒体のＩＤ）と取得したＩＤを比較し、接続されたアンテナが奨励品であるかの判断を行い、奨励品で無い場合は、送信を即座に停止することにより、不要な電磁エネルギーの放出を避けることができる。
【００２０】
次に、図３に沿って、本実施の形態における無線通信システムの動作について詳細に説明する。
【００２１】
＜Ｓｔｅｐ１０１＞無線通信装置３の電源（図示せず）ＯＮにより、全体の電源が入り、無線通信装置３の初期化が終了すると、所定の出力（装置の最低出力）に調整部３４ａで調整を行い、生成部３６ａにて生成された非接触情報記憶媒体２に送信する情報をアンテナ部１を介して送信を行い、読み取りを開始する。
【００２２】
＜Ｓｔｅｐ１０２＞Ｓｔｅｐ１０１終了後、読取部３２を介して判断部３６ｂへ入力されたデータにより、判断部３６ｂにてＩＤの読み取りができたかの判断を行う。
【００２３】
＜Ｓｔｅｐ１２１＞ＩＤの読み取りができなかった場合は、ホストにＩＤ読み取りミスを表示し、一定時間内に制御部３６に対しホスト４からのアンテナ再接続指示の有無を確認し、アンテナ再接続指示がある場合はＳｔｅｐ１０１から動作を繰り返し、アンテナ再接続指示が無い場合は、Ｓｔｅｐ１２２へ移行する。
【００２４】
＜Ｓｔｅｐ１２２＞アンテナ再接続指示が無ければ送信停止を行い、動作を終了する。
【００２５】
＜Ｓｔｅｐ１０３＞Ｓｔｅｐ１０２の判断で、ＩＤ読み取りができた場合はデータベース部３３に格納されているＩＤと合致するＩＤがあるかを判断部３６ｂにて判断し、ＩＤがデータベースと一致した場合は、Ｓｔｅｐ１０４へ移行し、ＩＤが一致しなかった場合は、Ｓｔｅｐ１３１へ移行する。
【００２６】
＜Ｓｔｅｐ１３１＞取得ＩＤがデータベース部３３に格納しているＩＤと合致しなかった場合、接続アンテナの不一致をＰＣ４に表示し、一定時間内に制御部３６に対しホスト４からのアンテナ再接続指示の有無を確認し、アンテナ再接続指示がある場合は、Ｓｔｅｐ１０１から動作を繰り返し、アンテナ再接続指示がない場合は、Ｓｔｅｐ１３２へ移行する。
【００２７】
＜Ｓｔｅｐ１３２＞アンテナ再接続指示がなければ送信停止を行い、動作終了とする。
【００２８】
＜Ｓｔｅｐ１０４＞データベース部３３の格納しているＩＤと合致した場合は、接続アンテナ種別をＰＣ４に表示を行う。
【００２９】
＜Ｓｔｅｐ１０５＞Ｓｔｅｐ１０３にて判断したアンテナ種別に合った、送信出力値をデータベース部３３から呼び出し、調整部３４ａにて調整を行い、非接触情報記憶媒体５の読み取りを実施する。
【００３０】
＜Ｓｔｅｐ１０６＞読み取り終了後、無線通信装置３の電源をＯＦＦとし、装置動作を終了する。
【００３１】
上記動作を実施することにより、離脱着可能なアンテナで、アンテナの種別判断を行い、最適な、電磁エネルギーが放射されるようアンテナへ電力供給を行うことを特徴とする無線通信装置を提供する。
【００３２】
本発明は、アンテナ部に設けられた非接触情報記憶媒体の情報（ＩＤ）を装置で読み取り、データベース部に格納されているＩＤと照合することにより、アンテナ種別を判断し、アンテナに最適なアンテナへの入力電力を判断することを特徴とし、装置の構成をほぼ変えることなく、規定値以上の電磁エネルギーの放射を制限することができる。
【００３３】
（実施の形態２）
本発明の実施の形態に係る無線通信システムを、図１、図４、図５に基づいて説明する。尚、本実施の形態は、電磁誘導により供給された電力（情報）で動作する非接触情報記憶媒体としてＲＦＩＤタグを例に説明を行う。
【００３４】
先ず、ＲＦＩＤタイプの無線通信システム全体の構成を図１に基づいて説明する。図１は、本発明の実施の形態に係るＲＦＩＤタイプの無線通信システム全体の構成を示す図である。
【００３５】
図１に示すようにＲＦＩＤタイプの無線通信システムは、電源を有しないＲＦタグ５と１３．５６ＭＨｚ帯を使用して非接触で通信することが可能なシステムであり、ＲＦタグ５を読書きする無線通信装置３と、無線通信装置３に接続されるパーソナルコンピュータ（以下、「ＰＣ」）４とを備えている。アンテナ部１は、モールド製の筐体にループアンテナを内蔵している。アンテナ部１と無線通信装置３は、同軸ケーブル６で接続されており、高周波信号を損失が少なく、無線通信装置３からアンテナ部１へＲＦタグ５に供給される電力を伝え、アンテナ部１を介してＲＦタグ５へ供給され、ＲＦタグ５を動作させることにより、ＲＦタグ５内部に記憶しているＩＤ（データ）をアンテナ部１を介し、無線通信装置３で読み取って認識し、ＰＣ４でデータ入力を行いＲＦタグ５の情報を表示する。
【００３６】
次に、無線通信装置３の詳細について図４および図５に基づいて説明する。図４は、図１に示す無線通信装置３の構成の一例を示す図であり、また、図５は、図１に示す無線通信装置３の実施例の動作を表すフローチャートである。
【００３７】
先ず、図４に沿って無線通信装置３の詳細について説明する。
【００３８】
送信波の基準クロックは、発源源３４ｃで作り出され、ＡＭＰ３４ｂへ入力されＡＭＰ３４ｂで増幅され、ゲイン調整可能で増幅機能を有する調整部３４ａで制御部３６の指定する出力を生成部３６ａで作られたデータ通りに変調部３５で変調をかけた後で、アンテナ部１へ入力し、アンテナ部１を介し、非接触情報記憶媒体２へ電力（情報）を供給する。無線通信装置３から電力（情報）を供給された非接触情報記憶媒体２は、供給された電力で動作し、内部に保持してある情報を指示通りに返信する。非接触情報記憶媒体２から返信された情報は、アンテナ部１と初期値に設定された受信設定部３１を介し読取部３２へ入力され、読取部３２で復調された後データとして制御部３６内の判断部３６ｂへ入力される。判断部３６ｂへ入力されたデータは判断部３６ｂにおいてデータベース部３３に登録されたアンテナ情報（非接触情報記憶媒体のＩＤ）と取得したＩＤを比較し、接続されたアンテナが奨励品であるかの判断を行い、奨励品で無い場合は、送信を即座に停止することにより、不要な電磁エネルギーの放出を避けることができる。また、取得したＩＤによりアンテナ種別を判断し、受信設定部３１を最適化することにより、アンテナの種別により発生する受信部との結合の最適化を行い、奨励アンテナであればどのアンテナでも最適な受信を可能とする。
【００３９】
本発明の実施の形態に係る無線通信装置を、図４〜図５に基づいて説明する。
【００４０】
＜Ｓｔｅｐ２０１＞無線通信装置３の電源（図示せず）ＯＮにより、全体の電源が入り、無線通信装置３の初期化が終了すると、所定の出力（装置の最低出力）に調整部３４ａで調整を行い、生成部３６ａにて生成された非接触情報記憶媒体２に送信する情報をアンテナ部１を介して送信を行い、読み取りを開始する。
【００４１】
＜Ｓｔｅｐ２０２＞Ｓｔｅｐ２０１終了後、読取部３２を介して判断部３６ｂへ入力されたデータにより、判断部３６ｂにてＩＤの読み取りができたかの判断を行う。
【００４２】
＜Ｓｔｅｐ２２１＞ＩＤの読み取りができなかった場合は、ホストにＩＤ読み取りミスを表示し、一定時間内に制御部３６に対しホスト４からのアンテナ再接続指示の有無を確認し、アンテナ再接続指示がある場合はＳｔｅｐ２０１から動作を繰り返し、アンテナ再接続指示が無い場合は、Ｓｔｅｐ２２２へ移行する。
【００４３】
＜Ｓｔｅｐ２２２＞アンテナ再接続指示が無ければ送信停止を行い、動作を終了する。
【００４４】
＜Ｓｔｅｐ２０３＞Ｓｔｅｐ２０２の判断で、ＩＤ読み取りができた場合はデータベース部３３に格納されているＩＤと合致するＩＤがあるかを判断部３６ｂにて実施し、ＩＤがデータベースと一致した場合は、Ｓｔｅｐ２０４へ移行し、ＩＤが一致しなかった場合は、Ｓｔｅｐ２３１へ移行する。
【００４５】
＜Ｓｔｅｐ２３１＞取得ＩＤがデータベース部３３に格納しているＩＤと合致しなかった場合、接続アンテナの不一致をＰＣ４に表示し、一定時間内に制御部３６に対しアンテナ再接続指示の有無を確認し、アンテナ再接続指示がある場合は、Ｓｔｅｐ２０１から動作を繰り返し、アンテナ再接続指示がない場合は、Ｓｔｅｐ２３２へ移行する。
【００４６】
＜Ｓｔｅｐ２３２＞アンテナ再接続指示がなければ送信停止を行い、動作終了とする。
【００４７】
＜Ｓｔｅｐ２０４＞データベース部３３の格納しているＩＤと合致した場合は、接続アンテナ種別をＰＣ４に表示を行う。
【００４８】
＜Ｓｔｅｐ２０５＞データベース部３３より受信設定部３１の接続アンテナ種別による設定を呼び出し、制御部３６の指示により、受信設定部３１の設定を行う。
【００４９】
＜Ｓｔｅｐ２０６＞Ｓｔｅｐ２０５にて設定した受信設定部３１の設定値をＰＣ４に表示を行う。
【００５０】
＜Ｓｔｅｐ２０７＞Ｓｔｅｐ２０３にて判断したアンテナ種別に合った、送信出力値をデータベース部３３から呼び出し、調整部３４ａにて調整を行い、非接触情報記憶媒体５の読み取りを実施する。
【００５１】
＜Ｓｔｅｐ２０８＞読み取り終了後、無線通信装置３の電源をＯＦＦとし、装置動作を終了する。
【００５２】
上記動作を実施することにより、離脱着可能なアンテナで、アンテナの種別判断を行い、最適な、電磁エネルギーが放射されるようアンテナへ電力供給を行うことを特徴とする無線通信装置を提供する。
【００５３】
本発明は、アンテナ部に設けられた非接触情報記憶媒体の情報（ＩＤ）を装置で読み取り、データベース部に格納されているＩＤと照合することにより、アンテナ種別を判断し、アンテナに最適なアンテナへの入力電力を判断することを特徴とし、装置の構成をほぼ変えることなく、規定値以上の電磁エネルギーの放射を制限することができる。
【産業上の利用可能性】
【００５４】
本発明は、無線通信装置で、アンテナを認識し、最適な設定で通信を行うことが可能なので、アンテナが離脱着可能な場合、特に複数のアンテナが一台の無線通信装置に接続する装置で好適である。
【図面の簡単な説明】
【００５５】
【図１】本発明の実施の形態に係るＲＦＩＤシステム全体の構成を示す図
【図２】本発明の実施の形態に係る無線通信装置の一例のブロック図
【図３】本発明の実施の形態に係る無線通信装置の一例のフローチャート
【図４】本発明の実施の形態に係る無線通信装置の一例のブロック図
【図５】本発明の実施の形態に係る無線通信装置の一例のフローチャート
【符号の説明】
【００５６】
１    アンテナ部
２    非接触情報記憶媒体（アンテナ認識用）
３    無線通信装置
４    ホスト（ＰＣ）
５    非接触情報記憶媒体（ＲＦタグ）
６    同軸ケーブル
７    インターフェイスケーブル
３１    受信設定部
３２    読取部
３３    データベース部
３４    送信部
３４ａ    調整部
３４ｂ    ＡＭＰ（増幅器）
３４ｃ    発振源
３５    変調部
３６    制御部
３６ａ    生成部
３６ｂ    判断部
【図１】
2008244718.tif 000003
【図２】
2008244718.tif 000004
【図３】
2008244718.tif 000005
【図４】
2008244718.tif 000006
【図５】
2008244718.tif 000007